(57)【要約】【課題】定形性を有しない商品や荷重をかけることができない商品の輸送用包装箱として使用できると共に、店頭で開封後、商品を入れたまま山積み陳列することが可能で、且つ、商品が隠れることなく視認できるように商品の陳列性を改善した仕切り付き包装箱を提供することである。【解決手段】左右側板間に箱内を２分する仕切り板１１を有する包装箱において、箱の側面高さの１／２〜１／４の位置に開封用切離帯８を側面全周にわたって設け、前記仕切り板の中央部には前記切離帯と同じ側面高さ位置から仕切り板の上縁部に至る切れ目線を設けて切除可能にした切取部１６を設けることで、多段陳列時に切取部からの商品透視を可能としたことを特徴とする。【選択図】図４
2007091333.tif 000002
【特許請求の範囲】
【請求項１】
底板、天板並びに前後及び左右各一対の側板を備え、且つ箱の側面高さの１／２〜１／４の位置に開封用切離帯を箱側面全周にわたって設けると共に、左右の側板間に箱内を２分する仕切り板を挿入してなる直方体の包装箱において、
前記仕切り板の中央部に、前記切離帯と同じ側面高さ位置から仕切り板の上縁部に至る切目線を設けて切除可能にした切取部を設け、店頭陳列時に切取部からの商品透視を可能としたことを特徴とする商品陳列性を改善した仕切り付き包装箱。
【請求項２】
前記仕切り板は、段ボールシートを中央部分で半折して重ね合せた２枚１組の長方形状段ボールからなり、重ね合せた２枚の各長方形状段ボールの両端寄りに縦罫線を設けて両翼板を形成し、箱の前後側板と左右側板とにより形成される箱の側面稜角部内側に前記両翼板の端部を係止させることで、箱内に前記左右側板と前記両翼板を夫々一辺とする断面略３角形の空間を有する補強ポスト部を形成させることを特徴とする請求項１に記載の商品陳列性を改善した仕切り付き包装箱。
【請求項３】
包装箱および仕切り板がマイクロフルート段ボールを材料として形成されていることを特徴とする請求項１または請求項２に記載の商品陳列性を改善した仕切り付き包装箱。
【発明の詳細な説明】
【技術分野】
【０００１】
本発明は、店頭で包装箱をトレー状態に開封して商品を露出させ、且つ、トレー状の箱に商品を入れたまま積上げて陳列可能とした仕切り付き包装箱であって、特に、定形性を有しない商品や荷重を支持できない商品を積上げ陳列するに好適な仕切り付き包装箱に係る。
【背景技術】
【０００２】
洗剤などの詰替え品、袋詰め菓子等の食品或いは家庭用雑貨品等の包装は、薄く変形しやすいパウチ包装（小袋包装）材料で作られているため、商品に荷重をかけることができない。そのため商品の輸送流通のための包装には段ボール製包装箱が使用されている。この段ボール製包装箱は、販売店頭で山積み販売する際に、箱の一部を切り取って商品を露出した状態で積上げることにより大量陳列される場合がある。しかし、商品多くは定形性を有しないもので、商品には荷重をかけることができないので、積上げ状態での安定性が損われやすく、また商品陳列性に劣ることも知られている。
その場合、商品の自立を補助しつつ、上に積重ねる箱を支持する部材が必要になる。そのような機能を有する仕切りとして、一般には組仕切りと呼ばれるものと、Ｈ形またはＺ形と呼ばれる仕切り板が使用されている。
【０００３】
図５は、業界で一般にＡ式と呼ばれる段ボール箱（ＪＩＳ  Ｚ１５０７記載コード番号０２０１タイプの箱）に、キの字形の組仕切りを挿入した時の商品を入れる前の状態の斜視図である。商品を陳列展示するときは図６に示すように、包装箱の上部を切除してトレー状とした箱の中に、組仕切りを残して使用する。このキの字形組仕切りは３枚の部材を使用するが、交差した仕切り部材積上げ荷重を支える壁となり箱の多段積みが可能となる。しかし、使用部材が２枚以上となり、組込み枚数が多いほど積上げ強度が高くなり、且つ、積上げた時の安定性がよいが、部材の組み込みが面倒なことと、部材費がかさむという問題がある。しかし交差した仕切り部材により箱内に部屋を作るので、商品を入れたまま陳列するとき別の部屋に入った商品が仕切部材に隠れてしまうという欠点がある。
【０００４】
Ｈ形またはＺ形の仕切り板の場合は、図７の如く中央に設ける仕切り板の両端を箱の内面に接着させて、仕切り板により箱内部を２分するように区画するが、中央を仕切る部材に遮られて、反対側の部屋の商品が見えない。そこで、店頭陳列時に、箱に複数のジッパーを設けて、例えば図８のように側面等を切破く必要がある。しかしそのため箱強度が落ちてしまうという問題がある。また、箱開封作業も煩しいという問題を有している。
この種の包装箱は、例えば、後記特許文献１、特許文献２に開示されている。また軟包装体用Ｈ字仕切板も、特許文献３に記載されている。
【０００５】
なお、特許文献２には、商品を山積み陳列販売する際に、多段に積上げた包装箱のうち、下段側の包装箱の前後側面と天面を除去するが、最上段となる包装箱は前後左右の側面と天面および中央の仕切り板を除去することにより、商品を全方向から視認できるトレー状態とすることが提案されている。この場合、最上段の商品はどこからも視認可能であるが、仕切り板を除去するので、定形性の有しない商品は自立性に劣るため商品を支持するものがないと、商品の落下の危険性があり、安定して商品を陳列できないという問題点がある。
【特許文献１】登録実用新案第３０８２５４０号公報
【特許文献２】特開平１１−２９２０６４号公報
【特許文献３】実開昭５３−８８４７３号公報
【発明の開示】
【発明が解決しようとする課題】
【０００６】
そこで本発明の課題は、パウチ入り商品など柔軟で変形し易く、荷重をかけることができない商品を包装する箱において、商品の輸送用包装箱として使用できると共に、店頭で開封後、箱に商品を入れたまま山積み陳列することが可能で、且つ、商品が隠れることなく視認できるように陳列性を改善した仕切り付き包装箱を提供することである。
【課題を解決するための手段】
【０００７】
上記課題を解決する本発明は、下記の態様を有する。
[１]底板、天板並びに前後及び左右各一対の側板を備え、且つ箱の側面高さの１／２〜１／４の位置に開封用切離帯を側面全周にわたって設けると共に、左右の側板間に、箱内を２分する仕切り板を挿入してなる直方体の包装箱において、
前記仕切り板の中央部には前記切離帯と同じ側面高さ位置から仕切り板の上縁部に至る切目線を設けて削除可能にした切取部を設けることで、多段陳列時に切取部からの商品透視を可能としたことを特徴とする。
［２］前記仕切り板は、段ボールシートを中央部分で半折して重ね合せた２枚１組の長方形状段ボールからなり、重ね合せた２枚の各長方形状段ボールの両端寄りに縦罫線を設けて両翼板を形成し、箱の前後側板と左右側板とにより形成される箱の側面稜角部内側に前記両翼板の端部を係止させることで、箱内に前記左右側板と前記両翼板を夫々一辺とする断面が略３角形の空間を有する補強ポスト部を形成させることを特徴とする。
［３］包装箱および仕切り板はマイクロフルート段ボールを材料として形成されていることを特徴とする。
【発明の効果】
【０００８】
本発明は、箱内に前記左右側板と前記両翼板とが夫々一辺となるように断面が略３角形の空間を有する補強ポスト部を形成して設けるものであるから、上記のような定形性を有しない商品や、商品に荷重がかけられない商品を収容して輸送または保管する包装箱として使用できる。また、店頭で包装箱をトレー状態に開封して収容した商品を露出させ、商品をトレー状の箱に入れたまま積み上げて陳列することが可能である。そして、トレー状の箱に商品を入れたまま積上げて多段陳列する際に、仕切り板の中央部には前記切離帯と同じ側面高さ位置から仕切り板の上縁部に至る切取部があるため、商品が隠れることなく視認でき、店頭陳列展示効果に優れている。
【発明を実施するための最良の形態】
【０００９】
以下、本発明の実施の形態を説明する。図１〜４は本発明の一実施例を示し、図１は本発明に使用する箱本体の展開図、図２は同じく仕切り板の展開図である。図３は図１の箱内に図２の仕切り板を挿入した状態を示し、図４は包装箱Ａをトレー状態に開封した状態を示すものである。なお、箱内に収容する商品（パウチ包装品等）については、図示省略した。
【００１０】
はじめに箱本体について説明する。図１の符号１０は箱本体を構成するブランクであり、材質は通常の段ボールシートのほか、マイクロフルート段ボール、白板紙が使用可能であり、収容する商品の大きさ、重量、入り数に応じて選択される。
因みに段ボールシートは、ＪＩＳ規格（ＪＩＳ  Ｚ０１０８）によると段の数によりＡ段、Ｂ段、Ｃ段に分けられ、このほかにもＪＩＳ規格外のＥ段と呼ばれるものがある。一方、段の高さについてもＪＩＳ規格では定められていないが、Ａ段では概ね段高５ｍｍ、Ｂ段では概ね３ｍｍ、Ｃ段では概ね３．６ｍｍ、Ｅ段では概ね１．２ｍｍである。近年、Ｅ段より更に段数が多く、かつ段高が０．４〜１．０ｍｍの薄型段ボールシートが開発され、実用に供されるようになり、これらはＦ段とかＧ段、ミニ段ボール、マイクロフルート段ボール等と呼ばれている。本発明では、３０ｃｍ当たりの９０段以上、段高が１．０ｍｍ以下のものをマイクロフルート段ボールと称する。
このマイクロフルート段ボールは、美粧性の高い表面印刷が可能であるので白板紙の代替が可能となるだけでなく、段ボールの由来の緩衝性を活かすことができる。店頭で山積み販売する家庭用雑貨品等の包装箱として、美粧性が高く、軽量で強いマイクロフルート段ボール製包装箱の使用が好ましい。
包装箱の形式は特に制限はないが、Ａ式ケース（ＪＩＳ  Ｚ１５０７記載コード番号０２０１タイプ）が好適に用いられる。
【００１１】
図において、符号１ａ、１ｂは箱の前後一対の側板、２ａ，２ｂは左右一対の側板、３は側板の接合代、４ａ、４ｂは天板を構成する外フラップ、５ａ、５ｂは同じく内フラップである。そして６ａ、６ｂは底板を構成する外フフラップ、７ａ、７ｂは同じく内フラップである。符号８は前後及び左右各一対の側板に設ける開封用の切離帯を示し、側面高さの１／２〜１／４の位置に切離帯を箱側面全周に連続するように設ける。因みに、９ａ、９ｂは切離帯の掴み部を示しＨまたはＩ形の切れ目により構成する。図に例示した切離帯８はジッパー状の切れ目線で構成されているが、同位置にカットテープを貼着して形成することも可能である。
【００１２】
図２に示したように、仕切り板は段ボールシート１１を中央部分１２で半折して重ね合せることができる２枚１組の長方形状段ボール１１ａ、１１ｂからなり、重ね合せた２枚の各長方形段ボールの両端寄りに縦罫線１３を設けて両翼板１４ａ、１４ｂを形成した。なお、このとき図示のように上下の両翼板間は、端から縦罫線１３の位置まで切離しておく。また長方形状段ボール１１ａ、１１ｂの高さは、箱側面高さ（内寸）と同等に形成される。
また、同図ではシート状段ボール１１の中央部に前記切離帯と同じ側面高さ位置から各長方形状段ボール１１ａ、１１ｂの上縁部に至るＵ形の切れ目線１５ａ、１５ｂを設けて切除可能にして切取部１６を設けることで、開封陳列時に切取部１６からの商品透視を可能としている。
【００１３】
本発明の仕切り板は、この段ボールシート１１を中央部で半折して重ね合せた後、図３のように、重ね合せた２枚の各長方形段ボールの両端寄りに設けた両翼板１４ａ、１４ｂの端部を、箱の前後側板と左右側板とにより形成された箱の四隅（側面稜角部）内側に係止させる。これにより、箱内に前記左右側板と前記両翼板を夫々一辺とする断面が略２等辺３角形の中空補強ポスト部１７を形成したのが、図３の斜視図である。
【００１４】
上述したように段ボールシート１１を半折して重ね合せた後、箱四隅の稜角部を利用して仕切り板を挿入し固定することにより、箱の短側面側に断面が略２等辺３角形の中空補強ポスト部１７が形成される。そして、商品の輸送流通時には仕切り板１１から切取部１６は切取らずにそのまま残して使用するため、包装箱の積上げ強度は井桁状の組仕切りを設けた場合と比較し遜色がない。従って、包装箱の輸送流通時は勿論、倉庫に保管する時にも箱を多段に山積みすることが可能となる。
【００１５】
次に本発明の仕切り付き包装箱の一実施例と、店頭で仕切り付き包装箱をトレー状態に開封する手順と、商品をトレー状の箱に入れたまま山積みして陳列可能とする展示方法を記す。
【００１６】
まず商品包装箱として、短側面の幅Ｗが２０ｃｍ、長側面の長さＬが３０ｃｍ、高さＨが２０ｃｍのＡ式ケースをマイクロフルート段ボールにて作製した。そして直方体の箱に組み立てた場合に、箱底から高さ方向９ｃｍの位置に、箱側面全周わたって開封用切離帯８とその掴み部９となる切れ目を設けた。
【００１７】
また、仕切り板となる段ボールシート１１として、長さ（流れ方向）５０ｃｍ、幅（フルートの目方向）３８ｃｍのマイクロフルート段ボールを用意し、そのシート１１の中央１２からフルートの目に直角になるように折り曲げ、高さ１９ｃｍの２枚の長方形の段ボール１１ａ、１１ｂを作製した。この時、段ボールシート１１の中央部に前記切離帯８と同じ側面高さ位置から各長方形状段ボール１１ａ、１１ｂの上縁部に至るＵ形の切れ目線１５ａ、１５ｂを設けて高さ約１０ｃｍの切取部１６を設けて、箱開封後陳列時に切取部からの商品透視を可能とした。
【００１８】
仕切り板用段ボールシート１１は、箱の四隅を利用して上部から挿入することにより、箱の短側面側に、左右側板と前記両翼板を夫々一辺とする断面が略２等辺３角形の中空補強ポスト１７を形成した状態が図３である。
なお、店頭にて商品を山積み販売する時は、箱の側面に設けた開封用切離帯８より箱上部を切除してトレー状態の箱Ａ‘とする。このとき、仕切り板に設けた開口部１６を切除して商品透視を可能とし状態が図４である。このように仕切り板の真ん中部分をくり抜いているため、商品が仕切により隠れてしますことが少なく、展示効果は大きい。また、定形性を有しない商品は支持するものがないと商品の落下の危険性があり、安定して商品を陳列できないが、本発明によれば最上段でも仕切りを取り除かないため、支えとなり不安定な商品でも展示できる。
【産業上の利用可能性】
【００１９】
本発明は、商品の輸送用包装箱として使用できると共に、店頭で開封して、商品を山積み販売するのに好適な仕切り付き包装箱に利用できる。特に、最上段の箱でも仕切りを残すことで、積上げ荷重による箱の変形が抑制される共に、定形性を有しない不安定な商品の展示分野への利用が期待される。
【図面の簡単な説明】
【００２０】
【図１】本発明で使用する箱本体の展開図である。
【図２】同じく仕切り板の展開図である。
【図３】本発明に仕切り付き包装箱を示す斜視図である。
【図４】本発明の仕切り付き包装箱をトレー状態に開封した状態を示す斜視図である。
【図５】従来の組仕切りを箱内に挿入した時の斜視図である。
【図６】図５に示した箱の開封後、展示時の状態を示す斜視図である。
【図７】従来のＨ形仕切り箱の斜視図である。
【図８】図７の箱の開封後、展示時の状態を示す斜視図である。
【符号の説明】
【００２１】
１ａ、１ｂ，２ａ、２ｂ  側板
３  接合代
４ａ、４ｂ  天板用外フラップ
５ａ、５ｂ  天板用内フラップ
６ａ、６ｂ  底板用外フラップ
７ａ、７ｂ  底板用内フラップ
８  開封用切離帯
９ａ、９ｂ  掴み部
１０  ブランク
１１  仕切り用段ボールシート
１２  中央の折れ目
１３  縦罫線
１４ａ、１４ｂ  翼板
１５ａ、１５ｂ  Ｕ形切れ目線
１６  切取部
１７  中空補強ポスト部
【図１】
2007091333.tif 000003
【図２】
2007091333.tif 000004
【図３】
2007091333.tif 000005
【図４】
2007091333.tif 000006
【図５】
2007091333.tif 000007
【図６】
2007091333.tif 000008
【図７】
2007091333.tif 000009
【図８】
2007091333.tif 000010